(57)【要約】【課題】  施錠装置の経時的な作動不良を防止する。【解決手段】  表枠の裏面に固定される固定板１７と、固定板１７と一体化されており、表枠の裏面に対してほぼ直角に立設され、その表枠の輪郭縦線側が表側となるガイド板１８と、ガイド板１８の表側で固定板１７に取付けられた錠本体２２と、錠本体２２の動作を受けて、ガイド板１８の表側でそのガイド板１８に沿って施錠位置から解錠位置までスライド可能な構成であり、表枠施錠用の係合爪２０を備える板状の第１係合爪部材２５と、ガイド板１８の表側でそのガイド板１８に沿って施錠位置から解錠位置までスライド可能な構成であり、ガラス枠施錠用の係合爪３５を備える板状の第２係合爪部材３０とを有しており、第１係合爪部材２５と第２係合爪部材３０とは、互いの板面がほとんど重ならないように並べられた状態でガイド板１８の表側に配置されている。【選択図】        図１
2005052483.tif 000002
【特許請求の範囲】
【請求項１】
機台枠に対する表枠の施錠と、表枠に対するガラス枠の施錠とを行うパチンコ機の施錠装置であって、
前記表枠の回動自由端側において、前記表枠の輪郭縦線に沿ってその表枠の裏面に固定される固定板と、
前記固定板と一体化されており、前記表枠の輪郭縦線から一定寸法離れた位置で前記表枠の裏面に対してほぼ直角に立設され、その表枠の輪郭縦線側が表側となるガイド板と、
前記ガイド板の表側で前記固定板に取付けられた錠本体と、
前記錠本体の動作を受けて、前記ガイド板の表側でそのガイド板に沿って施錠位置から解錠位置までスライド可能な構成であり、表枠施錠用の係合爪を備える板状の第１係合爪部材と、
同じく前記錠本体の動作を受けて、前記ガイド板の表側でそのガイド板に沿って施錠位置から解錠位置までスライド可能な構成であり、前記ガラス枠施錠用の係合爪を備える板状の第２係合爪部材とを有しており、
前記第１係合爪部材と前記第２係合爪部材とは、互いの板面がほとんど重ならないように並べられた状態で前記ガイド板の表側に配置されていることを特徴とするパチンコ機の施錠装置。
【請求項２】
請求項１に記載されたパチンコ機の施錠装置であって、
第２係合爪部材は、ガイド板の表側に配置された表側爪部材と、そのガイド板の裏側に配置された裏側爪部材と、前記表側爪部材が施錠位置から解錠位置までスライドする際の動きを裏側爪部材に伝達可能な連結部材とを備えており、
前記裏側爪部材にガラス枠施錠用の係合爪が設けられていることを特徴とするパチンコ機の施錠装置。
【請求項３】
請求項２に記載のパチンコ機の施錠装置であって、
裏側爪部材には、鉤部を備える連結部材が取付けられており、
ガイド板には、前記連結部材の鉤部と係合することで、その裏側爪部材の解錠方向の動きを止めるロック部材が取付けられており、
表側爪部材の動きが前記連結部材によって裏側爪部材に伝達される場合には、その連結部材の鉤部が前記ロック部材から外れるように構成されていることを特徴とするパチンコ機の施錠装置。
【請求項４】
請求項３に記載のパチンコ機の施錠装置であって、
ロック部材は、ガラス枠が閉じられたときに、そのガラス枠に押圧されて変位し、連結部材の鉤部と係合する構成であることを特徴とするパチンコ機の施錠装置。
【発明の詳細な説明】
【技術分野】
【０００１】
本発明は、機台枠に対する表枠の施錠と、表枠に対するガラス枠の施錠とを行うパチンコ機の施錠装置に関する。
【背景技術】
【０００２】
これに関連する従来のパチンコ機の施錠装置が特許文献１に記載されている。
前記施錠装置は、図６に示すうように、表枠（図示省略）の回動自由端側において、その表枠の裏面に縦に固定される固定板９２と、その固定板９２と一体化されて、前記表枠の裏面に対してほぼ直角に立設されたガイド板９４とを備えている。さらに、固定板９２にはシリンダ錠９６が取付けられている。
また、ガイド板９４の表側には、錠本体９６の動作を受けてそのガイド板９４に沿って施錠位置から解錠位置までスライド可能な表枠施錠用の第１係合爪部材９３と、同じく錠本体９６の動作を受けてそのガイド板９４に沿って施錠位置から解錠位置までスライド可能なガラス枠施錠用の第２係合爪部材９５とが設けられている。
第１係合爪部材９３と第２係合爪部材９５とは重ねられた状態でガイド板９４の表側に配置されている。
【０００３】
【特許文献１】特開２００１−０３８０２６号公報
【発明の開示】
【発明が解決しようとする課題】
【０００４】
上記したパチンコ機の施錠装置によると、第１係合爪部材９３と第２係合爪部材９５とは重ねられた状態でガイド板９４の表側に配置されているため、ガラス枠あるいは表枠の解錠操作時に第１係合爪部材９３と第２係合爪部材９５との接触部分が擦れ、経時的に前記接触部部分の摺動抵抗が大きくなって、動作不良を起こすことがある。
本発明は、上記問題点を解決するためになされたものであり、施錠装置が経時的に動作不良を起こさないようにすることである。
【課題を解決するための手段】
【０００５】
上記した課題は、各請求項の発明によって解決される。
請求項１の発明は、機台枠に対する表枠の施錠と、表枠に対するガラス枠の施錠とを行うパチンコ機の施錠装置であって、前記表枠の回動自由端側において、前記表枠の輪郭縦線に沿ってその表枠の裏面に固定される固定板と、前記固定板と一体化されており、前記表枠の輪郭縦線から一定寸法離れた位置で前記表枠の裏面に対してほぼ直角に立設され、その表枠の輪郭縦線側が表側となるガイド板と、前記ガイド板の表側で前記固定板に取付けられた錠本体と、前記錠本体の動作を受けて、前記ガイド板の表側でそのガイド板に沿って施錠位置から解錠位置までスライド可能な構成であり、表枠施錠用の係合爪を備える板状の第１係合爪部材と、同じく前記錠本体の動作を受けて、前記ガイド板の表側でそのガイド板に沿って施錠位置から解錠位置までスライド可能な構成であり、前記ガラス枠施錠用の係合爪を備える板状の第２係合爪部材とを有しており、前記第１係合爪部材と前記第２係合爪部材とは、互いの板面がほとんど重ならないように並べられた状態で前記ガイド板の表側に配置されていることを特徴とする。
【０００６】
本発明によると、第１係合爪部材と第２係合爪部材とは、互いの板面がほとんど重ならないように並べられた状態でガイド板の表側に配置されているため、ガラス枠あるいは表枠の解錠操作時に第１係合爪部材９３と第２係合爪部材９５との板面どうしが擦れることがない。即ち、第１係合爪部材と第２係合爪部材との間に摺動抵抗がほとんど存在しないため、経時的に摺動抵抗が増加するようなこともなく、施錠装置の作動不良を防止することができる。
【０００７】
請求項２の発明によると、第２係合爪部材は、ガイド板の表側に配置された表側爪部材と、そのガイド板の裏側に配置された裏側爪部材と、前記表側爪部材が施錠位置から解錠位置までスライドする際の動きを裏側爪部材に伝達可能な連結部材とを備えており、前記裏側爪部材にガラス枠施錠用の係合爪が設けられている。
即ち、ガイド板の裏側にガラス枠施錠用の係合爪を備える裏側爪部材が配置されているため、従来のように表枠の輪郭縦線とガイド板との間の狭い範囲内に表枠施錠用の係合爪及びガラス枠施錠用の係合爪を配置しなくても良くなり、両係合爪を配置する際の自由度が向上する。
【０００８】
請求項３の発明によると、裏側爪部材には、鉤部を備える連結部材が取付けられており、ガイド板には、前記連結部材の鉤部と係合することで、その裏側爪部材の解錠方向の動きを止めるロック部材が取付けられており、表側爪部材の動きが前記連結部材によって裏側爪部材に伝達される場合には、その連結部材の鉤部が前記ロック部材から外れるように構成されている。
即ち、錠本体の動作を受けて表側爪部材が動作する際には、その表側爪部材の動作が連結部材によって裏側爪部材に伝達され、裏側爪部材は解錠方向にスライド可能となる。しかし、表側爪部材が動作しないときは、ロック部材の働きで裏側爪部材は解錠方向の動きを止められる。したがって、例えば、不正操作により裏側爪部材が解錠方向に動かされるようなことがなく、防犯性能が向上する。
ここで、請求項４に示すように、ロック部材は、ガラス枠が閉じられたときに、そのガラス枠に押圧されて変位し、連結部材の鉤部と係合する構成であるのが好ましい。
【発明の効果】
【０００９】
本発明によれば、第１係合爪部材と第２係合爪部材との間に摺動抵抗がほとんど存在しないため、経時的に摺動抵抗が増加するようなこともなく、施錠装置の作動不良を防止することができる。
【発明を実施するための最良の形態】
【００１０】
以下、図１から図５に基づいて、本発明の実施形態１に係るパチンコ機の施錠装置の説明を行う。ここで、図１は本実施形態に係る施錠装置の正面図（Ａ図）、側面図（Ｂ図）であり、図２、図３は施錠装置の分解側面図等である。また、図４は本実施形態に係る施錠装置を備えるパチンコ機の前方斜視図、図５はパチンコ機の後方斜視図である。なお、パチンコ機の幅方向をＸ方向、前後方向をＹ方向、高さ方向をＺ方向として図示する。
【００１１】
パチンコ機１は、図４、図５に示すように、略方形枠状に形成されて本体ケースとなる機台枠２を備えている。機台枠２の前面側には、ヒンジ（図示せず）を介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジを介して片開き状にガラス枠５が取付けられている。また、このガラス枠５の下部側に、玉受け皿を有する前板６がヒンジを介して片開き状に取付けられている。
【００１２】
機台枠２には、図５に示すように、縦枠２ａの内側面の上下所定位置にその機台枠２の内方に突出する第１爪受け具７が止着されている。第１爪受け具７には、表枠３に取付けられた施錠装置１０の上下の第１係合爪２０（図１〜図３等参照）がそれぞれ掛けられようになっている。そして、第１係合爪２０が第１爪受け具７に掛けられた状態で、表枠３は機台枠２に対して施錠される。
図４に示すように、表枠３の表面自由端側を構成する縦枠３ａには、ガラス枠５の上端、下端に対応する位置に一対の長孔３ｂが貫設されており、それらの長孔３ｂから施錠装置１０の上下の第２係合爪３５が突出している。
【００１３】
一方、ガラス枠５の自由端側の裏面には、表枠３の自由端側の表面から突出した第２係合爪３５が掛けられる第２爪受け具８が止着されている。そして、第２係合爪３５が第２爪受け具８にそれぞれ掛けられた状態で、ガラス枠５は表枠３に対して施錠される。
表枠３の縦枠３ａには、上下の長孔３ｂの間に開口３ｅが形成されており、その開口３ｅから施錠装置１０のロック部材５０の横レバー５２の先端部が突出している。
また、表枠３の縦枠３ａには、前板６の上端、下端に対応する位置に一対の長孔３ｆが貫設されており、それらの長孔３ｆに前板６の自由端側の裏面に設けられた第３係合爪９が挿入可能となっている。表枠３の裏側には、長孔３ｆに通された第３係合爪９が掛けられる第３爪受け具（図示されていない）が設けられている。
上下の長孔３ｆの間には、シリンダ錠２２が通される錠取付孔が貫設されている。また、前板６の回動自由端には、表枠３のシリンダ錠２２に対応する位置に、そのシリンダ錠２２との干渉を避けるための切欠き６ｃが設けられている。
【００１４】
施錠装置１０は、表枠３に対するガラス枠５の施錠と、機台枠２に対する表枠３の施錠とを行う装置であり、図５に示すように、表枠３の裏面自由端側に縦設されている。施錠装置１０は、断面略Ｌ字形をした固定基枠１５（図５参照）と、上下に一対の第１係合爪２０を備える第１係合爪部材２５（図３参照）と、上下に一対の第２係合爪３５を備える第２係合爪部材３０（図２参照）等とを備えている。
ここで、図２及び図３は、図１（Ｂ）の部分分解図である。
【００１５】
固定基枠１５は、施錠装置１０を表枠３の裏面に取付けるとともに第１係合爪部材２５及び第２係合爪部材３０等をスライド可能に支持する部材であり、図５等に示すように、固定板１７とガイド板１８とにより断面略Ｌ形に形成されている。固定板１７は、表枠３の輪郭縦線Ｒに沿ってその表枠３の裏面３ｚに固定されている。また、ガイド板１８は輪郭縦線Ｒから一定寸法離れた位置で表枠３の裏面３ｚ（固定板１７）に対してほぼ直角に立設されている。ここで、表枠３の輪郭縦線Ｒ側（固定板１７側）をガイド板１８の表側と呼ぶことにする。
固定基枠１５の固定板１７の下端部寄りには、図１（Ａ）、（Ｂ）に示すように、シリンダ錠２２が着脱可能に取付けられている。シリンダ錠２２は施錠装置１０の解錠を行うための錠であり、そのシリンダ錠２２の回転軸２２ｊの先端に略ブーメラン形状の解錠レバー２３が取付けられている。
【００１６】
解錠レバー２３は、第１解錠片２３ａと第２解錠片２３ｂとから構成されており、下側の第１解錠片２３ａが後述する第１係合爪部材２５の掛合突片２６（図１（Ａ）、図３（Ｂ）参照）と下方から係合している。このため、シリンダ錠２２がキー操作されて、解錠レバー２３が図１（Ａ）中右回動すると、第１解錠片２３ａによって第１係合爪部材２５が押し上げられる。また、解錠レバー２３の第２解錠片２３ｂは後述する第２係合爪部材３０（表側爪部材３２）の掛合突片３６に上方から係合している。このため、シリンダ錠２２のキー操作により解錠レバー２３が図１（Ａ）中左回動すると、第２解錠片２３ｂによって第２係合爪部材３０（表側爪部材３２）が押し下げられる。
【００１７】
第１係合爪部材２５は、図３（Ａ）に示すように、ガイド板１８の表側で、そのガイド板１８に沿って上方にスライドすることにより上下の第１係合爪２０を上回動させ、下方にスライドすることによりそれらの第１係合爪２０を下回動させる錠板であり、その第１係合爪部材２５が下限位置にあるときに、第１係合爪２０は機台枠２の第１爪受け具７と係合する水平位置（係合位置）に保持される。
【００１８】
第１係合爪２０は上方から機台枠２の第１爪受け具７に掛けられる構成であり、それらの第１係合爪２０の下側先端部に第１爪受け具７と係合する切り欠き２０ｋが形成されている。また、切り欠き２０ｋの位置から第１係合爪２０の先端までは、先端側が高くなるように傾斜した傾斜面２０ｓが形成されている。第１係合爪２０の傾斜面２０ｓは、後記するように、表枠３を施錠する際に機台枠２の第１爪受け具７に対して摺動する部分である。
【００１９】
各々の第１係合爪２０は、図１（Ａ）に示すように、その基端部が第１ロックピン２０ｐによって固定板１７に取付けられた上部ガイド金具１７ａ及び下部ガイド金具１７ｂにそれぞれ回動可能な状態で取付けられている。さらに、各々の第１係合爪２０の略中央部が連結ピン２０ｒによって後記する第１係合爪部材２５の上部板２７と下部板２９とに連結されている。
【００２０】
第１係合爪部材２５は、図３（Ａ）に示すように、上部板２７と、中央板２８と、下部板２９とから構成されている。
第１係合爪部材２５の上部板２７は、その板面が固定基枠１５のガイド板１８とほぼ平行に保持された帯状の短板であり、そのガイド板１８のほぼ幅方向中央位置に配置されている。上部板２７には、上側の第１係合爪２０が前述の連結ピン２０ｒによって回動可能に連結されており、その上部板２７の下部に上部ピン２７ｐが固定されている。
第１係合爪部材２５の中央板２８は、その板面がガイド板とほぼ平行に保持された帯状の長板であり、上端部と下端部とが図３（Ａ）において右方向に突出した状態で形成されている。中央板２８の上端部には上縦長孔２８ｕが形成されており、その上縦長孔２８ｕに上部板２７の上部ピン２７ｐが通されている。これによって、第１係合爪部材２５の上部板２７と中央板２８とが直列に連結されるとともに、中央板２８はガイド板の左端位置（固定板１７にほぼ当接する位置）に配置される。
【００２１】
中央板２８のほぼ中央には、縦に中央長孔２８ｍが形成されており、その中央長孔２８ｍにガイド板１８の連結ピン１８ｐが係合されている。これによって、中央板２８は、中央長孔２８ｍの長さ分だけガイド板１８に対してスライド可能となる。ここで、中央長孔２８ｍの長さ寸法は上縦長孔２８ｕの長さ寸法とほぼ等しい値に設定されている。
また、中央板２８の下端部の近傍には、切欠き２８ｈ（図３（Ｂ））が形成されており、その切欠き２８ｈの縦辺のほぼ中央に掛合突片２６が形成されている。そして、図３（Ｂ）に示すように、掛合突片２６に前述のシリンダ錠２２の第１解錠片２３ａが下方から掛けられるようになっている。
【００２２】
中央板２８の下端部には下縦長孔２８ｄが形成されており、その下縦長孔２８ｄに下部板２９の上端に取付けられた下部ピン２９ｐが通されている。これによって、第１係合爪部材２５の中央板２８と下部板２９とが直列に連結される。下部板２９は、その板面がガイド板１８とほぼ平行に保持された帯状の短板であり、そのガイド板１８のほぼ幅方向中央位置に配置されている。下部板２９には、下側の第１係合爪２０が前述の連結ピン２０ｒによって回動可能に連結されており、その下部板２９の上部に前述の下部ピン２９ｐが固定されている。
【００２３】
第１係合爪部材２５の上部板２７及び下部板２９には、それぞれバネ受け２７ｂ，２９ｂが形成されており、そのバネ受け２７ｂ，２９ｂに、それぞれ第１バネ４１、第２バネ４２の一端が掛けられている。そして、第１バネ４１、第２バネ４２の他端が固定基枠１５（固定板１７）のバネ受け１７ｘ，１７ｙに掛けられている。第１バネ４１、第２バネ４２は、上部板２７及び下部板２９を引き下げる方向に付勢されている。このため、上部板２７、中央板２８及び下部板２９は第１バネ４１及び第２バネ４２の力で下限位置に保持されており、上下の第１係合爪２０は機台枠２の第１爪受け具７に掛けられる係合位置（水平位置）に保持されている。
また、この状態で、第１係合爪部材２５における上部板２７の上部ピン２７ｐ及び下部板２９の下部ピン２９ｐは、図３（Ａ）に示すように、中央板２８の上縦長孔２８ｕ及び下縦長孔２８ｄの下端面にそれぞれ当接している。さらに、ガイド板１８の連結ピン１８ｐは中央板２８の中央長孔２８ｍの上端面に当接している。
【００２４】
この状態から、シリンダ錠２２の第１解錠片２３ａによって第１係合爪部材２５の中央板２８の掛合突片２６が押上げられると、その中央板２８の上縦長孔２８ｕ及び下縦長孔２８ｄの下端面によって下部ピン２９ｐ、上部ピン２７ｐが押上げられ、上部板２７及び下部板２９は共に第１バネ４１及び第２バネ４２の力に抗して上方にスライドする。これによって、第１係合爪２０は第１ロックピン２０ｐの回りを上方に回動（図３（Ｂ）中左回動）し、第１係合爪２０と機台枠２の第１爪受け具７との係合が解除されて、表枠３の解錠が行われる。
即ち、シリンダ錠２２が本発明の錠本体に相当し、第１係合爪２０が表枠施錠用の係合爪に相当する。
【００２５】
第２係合爪部材３０は、図２(Ａ)に示すように、表側爪部材３２と、裏側爪部材３４と、両者３２,３４を連結する連結部材３８等とから構成されている。
表側爪部材３２は、その板面がガイド板１８とほぼ平行に保持された帯状の長板であり、第１係合爪部材２５の中央板２８と互いの板面どうしが重ならないように、並べられた状態でガイド板１８の表側に配置されている。表側爪部材３２は、第１係合爪部材２５の中央板２８の上端部と下端部とを除いた長さ寸法にほぼ等しく設定されており、その表側爪部材３２の上端部と下端部とにそれぞれ縦長孔３２ｕ,３２ｄが形成されている。そして、それらの縦長孔３２ｕ,３２ｄにガイド板１８の連結ピン１８ａ,１８ｂがそれぞれ通されている。これによって、表側爪部材３２は縦長孔３２ｕ,３２ｄの長さ分だけガイド板１８に対してスライド可能になる。
【００２６】
表側爪部材３２の図中右端略中央には、その表側爪部材３２を表枠３の裏側から押し下げるレバーとして働くとともに、後記する連結部材３８の受け部３８ｅに対して上方から係合可能な構成の操作ハンドル３２ｒが形成されている。また、表側爪部材３２の図中左端下部には、縦長孔３２ｄの近傍に掛合突片３６が形成されている。そして、掛合突片３６に前述のシリンダ錠２２の第２解錠片２３ｂが上方から掛けられるように構成されている。
【００２７】
裏側爪部材３４は、その板面がガイド板１８とほぼ平行に保持された帯状の長板であり、そのガイド板１８の裏側に配置されている。裏側爪部材３４の上端部及び下端部にはガラス枠５の施錠に使用される第２係合爪３５が図中左方向に突出形成されている。上下の第２係合爪３５は、図４に示すように、表枠３の上下の長孔３ｂからその先端部分が突出するように形成されており、ガラス枠５の第２爪受け具８に下方から掛けられる構成である。上下の第２係合爪３５は、第２係合爪部材３０の表側爪部材３２、裏側爪部材３４がガイド板１８に沿って上限位置（施錠位置）までスライドした状態でガラス枠５の第２爪受け具８と係合状態に保持される。
即ち、第２係合爪３５が本発明のガラス枠施錠用の係合爪に相当する。
【００２８】
第２係合爪３５の先端部分は、略台形状に切り欠かれており、上から順番に第１傾斜面３５ｕ、第２傾斜面３５ｅ及びＶ字形溝３５ｖが形成されている。第１傾斜面３５ｕは、ガラス枠５の解錠の際、そのガラス枠５の第２爪受け具８をガラス枠５の開方向に押圧する部分であり、下向きの状態で先端側が高くなるように傾斜が設けられている。Ｖ字形溝３５ｖは、ガラス枠５の第２爪受け具８に掛けられる部分であり、ガラス枠５の第２爪受け具８に合わせてその深さ寸法が設定されている。
【００２９】
第２係合爪３５には、Ｖ字形溝３５ｖより先端寄りの位置に第３傾斜面３５ｄが形成されている。第３傾斜面３５ｄは、ガラス枠５の施錠の際、そのガラス枠５の第２爪受け具８が当接し、さらに摺動する部分であり、ガラス枠５の閉じ力を第２係合爪部材３０の押し下げ力に変換する働きをする。第３傾斜面３５ｄは、上向きの状態で先端側が低くなるよう傾斜が設けられている。
【００３０】
裏側爪部材３４の上端部と下端部とにはそれぞれ傾斜長孔３４ｕ,３４ｄが形成されており、各々の傾斜長孔３２ｕ，３２ｄに固定基枠１５のガイド板１８に固定された連結ピン１８ｘ,１８ｙが通されている。この構成により、裏側爪部材３４はガイド板１８に対して傾斜長孔３２ｕ，３２ｄの長さ寸法分だけスライドが可能になる。ここで、傾斜長孔３４ｕ,３４ｄは下端が上端よりも若干左側（外側）に位置しているため、裏側爪部材３４が上限位置（施錠位置）まで移動した状態で、第２係合爪３５は表枠３の内側に若干引き込まれるようになる。
【００３１】
裏側爪部材３４の中央下寄りには広幅部３４ｗが形成されており、その広幅部３４ｗの下部右端側に連結部材３８が回動ピン３８ｐによって上下回動可能な状態で連結されている。
連結部材３８は、表側爪部材３２と裏側爪部材３４とを連結するとともに、後記するロック部材５０と係合可能な部材であり、縦部３８ｋと横部３８ｙとにより側面略Ｌ字形に形成されている。そして、連結部材３８の縦部３８ｋと横部３８ｙとの接続部分の下側が前記回動ピン３８ｐによって回動可能な状態で裏側爪部材３４の広幅部３４ｗに連結されている。
連結部材３８には、縦部３８ｋの左端にロック部材５０と係合する鉤部３８ｔが形成されており、横部３８ｙの先端に表側爪部材３２の操作ハンドル３２ｒが上方から掛けられる受け部３８ｅが形成されている。また、連結部材３８の縦部３８ｋの右端に第３バネ４３が掛けられるバネ受け３８ｂが形成されている。
【００３２】
ロック部材５０は、連結部材３８の鉤部３８ｔと係合することで、裏側爪部材３４の解錠方向（下方向）のスライドを止める部材であり、図２（Ａ）、（Ｂ）に示すように、縦レバー５４と横レバー５２とにより、側面逆Ｌ字形に形成されている。ロック部材５０の縦レバー５４の上端は回動ピン５４ｐによって回動可能な状態で固定基枠１５のガイド板１８に連結されている。ロック部材５０には横レバー５２の基端部に段部５２ｄが設けられており、ロック部材５０が回動ピン５４ｐを中心に左回動して右限位置まで到達した段階で、その段部５２ｄが連結部材３８の鉤部３８ｔと係合可能になる（図２（Ｂ）参照）。
【００３３】
ロック部材５０の縦レバー５４の右上端には第３バネ４３が掛けられるバネ受け５４ｂが形成されている。第３バネ４３は、ロック部材５０のバネ受け５４ｂと連結部材３８のバネ受け３８ｂとを引き寄せる方向に付勢されている。このため、第３バネ４３により連結部材３８及び裏側爪部材３４が上限位置（施錠位置）まで引き上げられるとともに、ロック部材５０がバネ力で右回転し、そのロック部材５０の段部５２ｄがガイド板１８の突条１８ｃに当接する位置（左限位置）に保持される（図２（Ａ）参照）。
ロック部材５０の横レバー５２は、その先端部が、図４に示すように、表枠３の開口３ｅから突出しているため、ガラス枠５が開かれた状態でロック部材５０の段部５２ｄは左限位置に保持されており、ロック部材５０の段部５２ｄと連結部材３８の鉤部３８ｔとは図３（Ａ）に示すように、非係合状態に保持されている。
【００３４】
また、ガラス枠５が閉じられると、そのガラス枠５が横レバー５２の先端を押圧すことにより、ロック部材５０の段部５２ｄは第３バネ４３のバネ力に抗して右限位置まで移動し、その段部５２ｄが、図２（Ｂ）に示すように、連結部材３８の鉤部３８ｔと係合する。このため、裏側爪部材３４を不正に解錠方向（下方向）にスライドさせようとしても、ロック部材５０及び連結部材３８の働きで、その裏側爪部材３４の下方スライドが禁止される。
しかし、この状態で、シリンダ錠２２の第２解錠片２３ｂによって表側爪部材３２が押し下げられると、その表側爪部材３２の操作ハンドル３２ｒが連結部材３８の受け部３８ｅを押し下げ、その連結部材３８が回動ピン３８ｐを中心に右回動する。これによって、連結部材３８の鉤部３８ｔがロック部材５０の段部５２ｄから外れ、連結部材３８及び裏側爪部材３４は表側爪部材３２と共に第３バネ４３のバネ力に抗して、解錠方向（下方向）にスライドする。これによって、第２係合爪３５とガラス枠５の第２爪受け具８との係合が解除されて、ガラス枠５の解錠が行われる。
【００３５】
次に、パチンコ機１の施錠装置１０の動作を簡単に説明する。
ガラス枠５の施錠は、そのガラス枠５を閉じることにより自動的に行われる。即ち、ガラス枠５を閉じることにより、ガラス枠５の第２受け金具８が第２係合爪３５の第３傾斜面３５ｄに当接し（図２（Ａ）等参照）、その第３傾斜面３５ｄと第２受け金具８とが摺動する。この摺動作用により第２係合爪３５は第２受け金具８から押下力を受け、それらの第２係合爪３５を備える裏側爪部材３４が第３バネ４３の力に抗して下方にスライドする。そして、ガラス枠５の第２受け金具８が第２係合爪３５の第３傾斜面３５ｄから外れてＶ字形溝３５ｖに到達した状態で、第２係合爪部材３０が第３バネ４３の力で上方にスライドし、第２係合爪３５が第２受け金具８に掛けられる。これによって、ガラス枠５の施錠が行われる。
また、ガラス枠５が施錠されている状態（ガラス枠５が閉じられている状態）で、ロック部材５０の段部５２ｄと連結部材３８の鉤部３８ｔとは係合しているため、裏側爪部材３４を不正に解錠方向（下方向）にスライドさせようとしても、その裏側爪部材３４の下方スライドが禁止される。このため、不正行為が成立し難くなる。
【００３６】
ガラス枠５の解錠はシリンダ錠２２のキー操作によって行なわれる。即ち、シリンダ錠２２をキー操作して解錠レバー２３を図１（Ａ）において左回動させることで、その解錠レバー２３の第２解錠片２３ｂが第２係合爪部材３０（表側爪部材３２）の掛合突片３６を押し下げる。
これによって、表側爪部材３２が下方にスライドし、その表側爪部材３２の操作ハンドル３２ｒが連結部材３８の受け部３８ｅを押し下げる。この結果、連結部材３８が回動ピン３８ｐを中心に右回動し、その連結部材３８の鉤部３８ｔがロック部材５０の段部５２ｄから外れて、連結部材３８及び裏側爪部材３４は表側爪部材３２と共に第３バネ４３のバネ力に抗して、解錠方向（下方向）にスライドする。これによって、第２係合爪３５とガラス枠５の第２爪受け具８との係合が解除されて、ガラス枠５の解錠が行われる。
さらに、裏側爪部材３４が下方にスライドすることにより、第２係合爪３５の第１傾斜面３５ｕがガラス枠５の第２受け金具８に対して摺動し、その第２受け金具８をガラス枠５の開方向に押圧する。これによって、ガラス枠５の解錠と同時にそのガラス枠５がある程度開かれ、解錠終了時に第２係合爪部材３０が第３バネ４３の力で施錠位置まで戻る際に、第２係合爪３５がガラス枠５の爪受け具８に再び掛かるような不具合が生じない。
なお、表枠３が開かれている状態では、表側爪部材３２の操作ハンドル３２ｒを直接手で押し下げて、ガラス枠５の解錠を行うことも可能である。
【００３７】
機台枠２に対する表枠３の施錠は、上記したガラス枠５の場合と同様に、その表枠３を閉じることにより自動的に行われる。
表枠３が施錠されている状態で、例えば、下側の第１係合爪２０が特殊工具により解錠方向（上回動方向）の力を受けると、第１係合爪２０は解錠方向に回動するとともに、第１係合爪部材２５の下部板２９が上方にスライドする。しかし、第１係合爪部材２５の下部板２９が上方にスライドしても、下部板２９の下部ピン２９ｐは中央板２８の下縦長孔２８ｄ内を上方に移動するだけであり、両者２９ｐ，２８ｄは係合しない。このため、第１係合爪２０の回動力は第１係合爪部材２５の中央板２８に伝わらない。したがって、第１係合爪部材２５の中央板２８は下限位置に保持され、上側の第１係合爪２０も第１バネ４１の力で下限位置に保持される。即ち、下側の第１係合爪２０を不正に解錠しても上側の第１係合爪２０は施錠位置に保持されるため、表枠３を開くことはできない。
【００３８】
同様に、上側の第１係合爪２０を不正に解錠しても、その第１係合爪２０の回動力は第１係合爪部材２５の中央板２８に伝わらないため、下側の第１係合爪２０は施錠位置に保持される。したがって、表枠３を開くことはできない。即ち、表枠３を不正に開くためには、上下の第１係合爪２０を同時に特殊工具で解錠しなければならないため、不正行為が成立し難くなる。
【００３９】
表枠３の解錠はシリンダ錠２２のキー操作により行なわれる。即ち、シリンダ錠２２をキー操作して解錠レバー２３を図１（Ａ）において右回動させることで、その解錠レバー２３の第１解錠片２３ａが第１係合爪部材２５の中央板２８の掛合突片２６を押上げる。これによって、中央板２８の上縦長孔２８ｕ及び下縦長孔２８ｄの下端面によって下部板２９の下部ピン２９ｐ、上部板２７の上部ピン２７ｐが押上げられ、上部板２７及び下部板２９は共に第１バネ４１及び第２バネ４２の力に抗して上方にスライドする。この結果、上下の第１係合爪２０は第１ロックピン２０ｐの回りを上方に回動（図１、図３中左回動）し、それらの第１係合爪２０が機台枠２の第１受け金具７から外され、表枠３の解錠が行われる。
【００４０】
上記したように、本実施形態に係るパチンコ機の施錠装置１０によると、第１係合爪部材２５と第２係合爪部材３０（表側爪部材３２）とは、互いの板面がほとんど重ならないように並べられた状態でガイド板１８の表側に配置されているため、ガラス枠５あるいは表枠３の解錠操作時に第１係合爪部材２５と表側爪部材３２との板面どうしが擦れることがない。即ち、第１係合爪部材２５と表側爪部材３２との間に摺動抵抗がほとんど存在しないため、経時的に摺動抵抗が増加するようなこともなく、施錠装置１０の作動不良を防止することができる。
【００４１】
また、ガイド板１８の裏側にガラス枠施錠用の係合爪３５を備える裏側爪部材３４が配置されているため、従来のように表枠３の輪郭縦線Ｒとガイド板１８との間の狭い範囲内に表枠施錠用の係合爪２０及びガラス枠施錠用の係合爪３５を配置しなくても良くなり、両係合爪２０,３５を配置する際の自由度が向上する。
また、シリンダ錠２２の動作を受けて表側爪部材３２が動作する際には、その表側爪部材３２の動作が連結部材３８によって裏側爪部材３４に伝達され、裏側爪部材３４は解錠方向にスライドする。しかし、表側爪部材３２が動作しないときは、ロック部材５０の働きで裏側爪部材３４は解錠方向の動きを止められる。したがって、例えば、不正操作により裏側爪部材３４を解錠方向に動かされるようなことがなく、防犯性能が向上する。
【図面の簡単な説明】
【００４２】
【図１】本発明の実施形態１に係るパチンコ機の施錠装置の正面図（Ａ図）及び側面図（Ｂ図）である。
【図２】施錠装置の分解側面図である。
【図３】施錠装置の分解側面図である。
【図４】本発明の実施形態１に係る施錠装置を備えるパチンコ機の前方斜視図である。
【図５】本発明の実施形態１に係る施錠装置を備えるパチンコ機の後方斜視図である。
【図６】従来の施錠装置を表す分解斜視図である。
【符号の説明】
【００４３】
Ｒ      輪郭縦線
２      機台枠
３      表枠
１０    施錠装置
１７    固定版
１８    ガイド板
２０    第１係合爪（表枠施錠用の係合爪）
２２    シリンダ錠（錠本体）
２５    第１係合爪部材
３０    第２係合爪部材
３２    表側爪部材
３４    裏側爪部材
３５    第２係合爪（ガラス枠施錠用の係合爪）
３８    連結部材
３８ｔ  鉤部
５０    ロック部材
【図１】
2005052483.tif 000003
【図２】
2005052483.tif 000004
【図３】
2005052483.tif 000005
【図４】
2005052483.tif 000006
【図５】
2005052483.tif 000007
【図６】
2005052483.tif 000008